(57)【要約】【課題】  剥離開始部に対応する支持基材上の接着剤層が形成されていない接着剤層抜き領域が形成されている支持基材を有し、前記接着剤層抜き領域に対応する伝票用紙の角部がプリンター印字の際に剥がれて捲り上がらない伝票を提供することを目的とする。【解決手段】  本発明は、タック紙を構成する支持基材の粘着剤形成面と反対側の面に対して少なくとも一部が剥離可能に伝票用紙が接着され、前記伝票用紙の角部に剥離開始部が設けられた伝票において、前記伝票用紙のうち、剥離される伝票用紙部分２０に対応する前記支持基材の角部に接着剤層抜き領域２５が設けられ、前記接着剤層抜き領域２５の形状が四角形であり、前記剥離開始部の形状が三角形であって、前記剥離開始部は前記接着剤層抜き領域２５の一部の領域と重なり、一部が前記接着剤層と剥離可能に接着されていることを特徴とする伝票により上記の課題を解決した。【選択図】  図２
2015193121.tif 000002
【特許請求の範囲】
【請求項１】
タック紙を構成する支持基材の粘着剤形成面と反対側の面に対して少なくとも一部が剥離可能に伝票用紙が接着され、前記伝票用紙の角部に剥離開始部が設けられた伝票において、前記伝票用紙のうち、剥離される伝票用紙部分に対応する前記支持基材の角部に接着剤層抜き領域が設けられ、前記接着剤層抜き領域の形状が四角形であり、前記剥離開始部の形状が三角形であって、前記剥離開始部は前記接着剤層抜き領域の一部の領域と重なり、一部が前記接着剤層と剥離可能に接着されていることを特徴とする伝票。
【発明の詳細な説明】
【技術分野】
【０００１】
本発明は、伝票に関し、さらに詳しくは、タック紙を構成する支持基材に対して接着剤層を介して剥離可能に伝票用紙が接着された伝票に関し、特に前記支持基材の角部の剥離開始構造に関するものである。
【背景技術】
【０００２】
近年、顧客情報のデータベース化が進んでいる百貨店や通販業界では、支持基材の一方の面は粘着剤が形成された粘着面となっており、この支持基材の他方の面に例えば、配送控と貼付票と配送票とからなる伝票用紙を配置し、シートプリンター等によって前記伝票用紙に配送情報を印字することができる１パート形式の配送伝票（以下、単に配送伝票という）が使用されるようになってきている。このような連接された配送控と貼付票と配送票とからなる配送伝票から貼付票以外の伝票用紙を前記支持基材から剥離するための剥離開始部を有する配送伝票について提案されている。この剥離開始部を「きっかけ」にして剥がすことによって伝票用紙を支持基材から容易に剥がすことができる（例えば、特許文献１参照）。
【先行技術文献】
【特許文献】
【０００３】
【特許文献１】特開２０１３−１０７２３８号公報
【発明の概要】
【発明が解決しようとする課題】
【０００４】
しかしながら、前記剥離開始部に接着剤層が形成されていないものはシートプリンター等で印字する際に剥離開始部が捲り上がり、剥がれてしまうという課題があった。
そこで、剥離開始部に対応する支持基材上の接着剤層が形成されていない接着剤層抜き領域が形成されている支持基材を有し、前記接着剤層抜き領域に対応する伝票用紙の角部がプリンター印字の際に剥がれて捲り上がらない伝票を提供することを目的とする。
【課題を解決するための手段】
【０００５】
本発明に係わる伝票は、以下の各発明により上記課題を解決した。なお、以下の各発明に付した括弧内の符号は、図面に付した符号と対応している。
【０００６】
本発明に係わる第１の発明は、タック紙を構成する支持基材の粘着剤形成面と反対側の面に対して少なくとも一部が剥離可能に伝票用紙が接着され、前記伝票用紙の角部に剥離開始部が設けられた伝票において、前記伝票用紙のうち、剥離される伝票用紙部分（２０）に対応する前記支持基材の角部に接着剤層抜き領域（２５）が設けられ、前記接着剤層抜き領域（２５）の形状が四角形であり、前記剥離開始部の形状が三角形であって、前記剥離開始部は前記接着剤層抜き領域（２５）の一部の領域と重なり、一部が前記接着剤層と剥離可能に接着されていることを特徴とする伝票である。
【発明の効果】
【０００７】
接着剤層抜き領域の形状を四角形とすることにより、前記接着剤層抜き領域に対応する伝票用紙の剥離開始部のうち鋭角角部の両端の一部が接着されるため、プリンターで印字する際に、伝票用紙部分の捲り上がりを防止できるという大きな効果がある。
【図面の簡単な説明】
【０００８】
【図１】本実施形態に係わる伝票の一例である。
【図２】本実施形態に係わる伝票における剥離開始部の拡大図の一例である。
【図３】本実施形態に係わる伝票における剥離開始部支持基材の拡大図の一例である。
【図４】本実施形態に係わる伝票における剥離開始部の拡大図の別の一例である。
【図５】本実施形態に係わる伝票における剥離開始部の拡大図の別の一例である。
【発明を実施するための形態】
【０００９】
次に、本発明の実施形態について、図面を参照して詳述する。
【００１０】
図１は、本実施形態に係わる伝票の一例である。図１（ａ）は伝票の平面図の一例である。図１（ａ）において、２０は剥離される伝票用紙部分を示している。剥離される伝票用紙部分２０をきっかけとして伝票用紙を支持基材からはがすことにより伝票を使用もしくは利用することができる。図１（ａ）では、伝票は３つの領域に区分されているが、２つの領域もしくは１つの領域でもよい。すなわち、本発明の伝票は単独で用いてもよく、連接された配送控と貼付票と配送票とからなる１パート形式の配送伝票に用いてもよく、伝票だけではなく、シールあるいはラベルとして用いてもよい。
【００１１】
図１（ｂ）は、図１（ａ）のＡ−Ａ断面図である。
図１（ｂ）において、１１は伝票用紙、１２は粘着剤層、１３は表面材料層、１４は粘着剤層、１５はシリコーン層、１６は背面材料層、１７は支持基材を示している。タック紙を構成する支持基材は、表面材料層１３、粘着剤層１４、シリコーン層１５、背面材料層１６から形成されている。
【００１２】
図２は、本実施形態に係わる伝票における剥離開始部の拡大図の一例である。すなわち図１の剥離される伝票用紙部分２０の拡大図である。図２において、２０は剥離される伝票用紙部分、２５は接着剤層抜き領域を示している。図２では、剥離される伝票用紙部分２０に対応する支持基材の角部に接着剤層抜き領域２５が設けられ、前記接着剤層抜き領域２５の形状が四角形である。つまり、本発明の場合には、接着剤層抜き領域２５が形成された支持基材と剥離される伝票用紙部分２０を含む用紙との２層構造となっているが必ずしもこれに限られるものではない。剥離される伝票用紙部分２０は、通常直角二等辺三角形である。直角二等辺三角形であれば、２辺のどちら側から剥離される伝票用紙部分２０を剥離しても剥がしやすくなるからである。しかしながら使用方法によっては、必ずしも直角二等辺三角形でなくてもよい。また、接着剤層抜き領域２５の形状は、五角形以上の多角形でもよく、さらに剥離開始部の角部を中心点とした扇形でもよい。
【００１３】
図２において、剥離される伝票用紙部分２０の面積をＳ、接着剤層抜き領域２５の面積をＴとするとＳとＴとの関係は次式の範囲内が好適である。
０．５＜Ｔ／Ｓ＜２    
すなわち、Ｔ／Ｓが０．５より小さいと接着剤層抜き領域２５に対応する剥離される伝票用紙部分２０の鋭角角部の両端の一部は接着剤層が当接していないのでしっかりと固定されず、剥離される伝票用紙部分２０が捲り上がりやすくなる。Ｔ／Ｓが２より大きいと接着剤層抜き領域２５に対応する剥離される伝票用紙部分２０の鋭角角部の両端の一部が支持基材に必要以上にしっかりと当接されているため剥離される伝票用紙部分２０を必要なときに指などで剥離しようとしても剥離しにくくなる。
【００１４】
図３は、本実施形態に係わる伝票における剥離開始部支持基材の拡大図の一例である。図３において６０は接着剤層、７０は接着剤層抜き領域、８０は支持基材を示している。接着剤層６０としては、剥離可能な接着剤がよく、透明性のあるものが好ましい。材料としては水系アクリルエマルジョン接着剤を用いることができるがこれに限定されるものではない。その他の材料としては、例えば膠（コラーゲン、水溶性コラーゲン）、カゼイン、大豆蛋白、合成蛋白等の蛋白質類；スターチ、酸化澱粉等の澱粉類；天然ゴム系、スチレンーブタジエン共重合体等の合成ゴム系；アクリル酸エステル−メタクリル酸エステルの共重合体等のアクリル樹脂；シアノアクリレート系樹脂；エチレン−酢酸ビニル共重合体等のポリ酢酸ビニル系樹脂；ポリビニルアルコール等の水溶性合成樹脂；オレフィン−無水マレイン酸樹脂等のオレフィン系樹脂；アミノ樹脂；フェノール樹脂；エポキシ樹脂；ポリウレタン系樹脂；メラミン−ホルムアルデヒド樹脂、フェノール−ホルムアルデヒド樹脂等のアルデヒド系樹脂；ポリオレフィン系等のホットメルト型樹脂；ポリビニルアセタール樹脂；エラストマー系樹脂を適宜選択して使用できる。使用方法としては接着剤を単独又は混合して使用できる。また必要に応じて接着付与剤、可塑剤、軟化剤、硬化剤などを加えることもできる。接着剤の形式としては、水系、溶剤系、ワックス系、ホットメルト系、紫外線硬化型系、圧着系等、その種類を選ばない。この接着剤の形成方法としてはグラビア法、ロールコート法などにより形成される。
【００１５】
本発明で使用される伝票は、用紙又はプラスチックフィルム等を使用することができる。用紙としては、例えば、キャストコート紙、アート紙、コート紙、上質紙、クラフト紙、グラシン紙、蒸着紙、合成紙等が挙げられる。タック紙の場合は、表面材料、粘着剤、シリコーン、背面材料の４層から構成されている。プラスチックフィルムとしては、例えば、ポリプロピレン、ポリエチレン、ポリエチレンテレフタレートやポリブチレンテレフタレート等のポリエステル、ポリ塩化ビニル等の各種高分子フィルムが挙げられる。また、布、不織布、金属ホイル等も使用できる。さらに、これらの積層体などを適宜採用することもできる。厚さは５０μｍ〜２００μｍの用紙あるいはプラスチックフィルムを用いた。
【００１６】
図４は、本実施形態に係わる伝票における剥離開始部の拡大図の別の一例である。図４において、９０は接着剤が当接している部分、９５は接着剤が当接している部分、９６は剥離される伝票用紙部分、９７は接着剤層抜き領域を示している。接着剤が当接している部分９０および９５の面積は、剥離される伝票用紙部分９６と接着剤層抜き領域９７との間の面積関係に依存するものである。剥離可能な接着剤の接着強度が大きいものを使用した場合には、接着剤が当接している部分９０および９５の面積が小さくても剥離される伝票用紙部分９６の捲り上がりを防止することができた。剥離可能な接着剤の接着強度が小さいものを使用した場合には、接着剤が当接している部分９０および９５の面積を大きくすることで剥離される伝票用紙部分９６の捲り上がりを防止することができた。
【００１７】
図５は、本実施形態に係わる伝票における剥離開始部の拡大図の別の一例である。図５において、Ｔは接着剤層抜き領域の面積、Ｓは剥離される伝票用紙部分の面積、ａは四角形の一辺の長さ、ｂは三角形の一辺の長さを示している。
すなわち、数式で表すと、  Ｔ＝ａ２
Ｓ＝（ａ＋ｂ）２／２
である。ＴとＳとが同一面積であるとするならば、
２ａ２＝（ａ＋ｂ）２
故に、                    ａ＝２．４１ｂ
となる。
そこで、ａとｂの関係を表１にまとめた。
【表１】
2015193121.tif 000003
【００１８】
以下、具体的な実施例について説明する。
【００１９】
（実施例１）
厚さ５０μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝０．６、ａ／ｂ＝１．２の場合、剥離される伝票用紙部分２０は剥がし易く、捲り上がりを防止することができ、良好な結果を得た。
【００２０】
（実施例２）
厚さ５０μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝１、ａ／ｂ＝２．４１の場合、剥離される伝票用紙部分２０は剥がし易く、捲り上がりを防止することができ、良好な結果を得た。
【００２１】
（実施例３）
厚さ５０μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝１．５、ａ／ｂ＝６．４２の場合、剥離される伝票用紙部分２０は剥がし易く、捲り上がりを防止することができ、良好な結果を得た。
【００２２】
（実施例４）
厚さ１００μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝０．６、ａ／ｂ＝１．２の場合、剥離される伝票用紙部分２０は剥がし易く、捲り上がりを防止することができ、良好な結果を得た。
【００２３】
（実施例５）
厚さ１００μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝１、ａ／ｂ＝２．４１の場合、剥離される伝票用紙部分２０は剥がし易く、捲り上がりを防止することができ、良好な結果を得た。
【００２４】
（実施例６）
厚さ１００μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝１．５、ａ／ｂ＝６．４２の場合、剥離される伝票用紙部分２０は剥がし易く、捲り上がりを防止することができ、良好な結果を得た。
【００２５】
（実施例７）
厚さ２００μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝０．６、ａ／ｂ＝１．２の場合、剥離される伝票用紙部分２０は厚いためやや剥がし難いが、捲り上がりを防止することができ、普通の結果を得た。
【００２６】
（実施例８）
厚さ２００μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝１、ａ／ｂ＝２．４１の場合、剥離される伝票用紙部分２０は剥がし易く、捲り上がりを防止することができ、良好な結果を得た。
【００２７】
（実施例９）
厚さ２００μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝１．５、ａ／ｂ＝６．４２の場合、剥離される伝票用紙部分２０は剥がし易く、捲り上がりを防止することができ、良好な結果を得た。
【００２８】
（比較例１）
厚さ５０μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝０．４、ａ／ｂ＝０．８１の場合、剥離される伝票用紙部分２０は剥がし難く、プリンターで印字するときに捲り上がってしまい結果は良くなかった。
【００２９】
（比較例２）
厚さ５０μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝２．１、ａ／ｂ＝―３６．２５の場合、剥離される伝票用紙部分２０は剥がし難く、プリンターで印字するときに捲り上がってしまい結果は良くなかった。
【００３０】
（比較例３）
厚さ１００μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝０．４、ａ／ｂ＝０．８１の場合、剥離される伝票用紙部分２０は剥がし難く、プリンターで印字するときに捲り上がってしまい結果は良くなかった。
【００３１】
（比較例４）
厚さ１００μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝２．１、ａ／ｂ＝−３６．２５の場合、剥離される伝票用紙部分２０は剥がし難く、プリンターで印字するときに捲り上がってしまい結果は良くなかった。
【００３２】
（比較例５）
厚さ２００μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝０．４、ａ／ｂ＝０．８１の場合、剥離される伝票用紙部分２０は剥がし難く、プリンターで印字するときに捲り上がってしまい結果は良くなかった。
【００３３】
（比較例６）
厚さ２００μｍの上質紙を伝票用紙とし、連接された３つの領域からなる伝票用紙を用い、接着剤層抜き領域２５を設け、前記接着剤層抜き領域２５以外にアクリル系接着剤を全面塗工した。さらにその上に印刷が施され連接された配送控と貼付票と配送票とからなる伝票用紙を貼り合わせ、剥離される伝票用紙部分２０を形成した。Ｔ／Ｓ＝２．１、ａ／ｂ＝−３６．２５の場合、剥離される伝票用紙部分２０は剥がし難く、プリンターで印字するときに捲り上がってしまい結果は良くなかった。
【００３４】
（まとめ）
実施例と比較例とをまとめたものを表２に示した。すなわちプリンター印字適性を有する剥離開始部は、剥離される伝票用紙部分２０と接着剤が当接している部分９０および９５の面積との間には相関関係があり、なおかつ好適な範囲を有し、伝票用紙の厚さとの間にも密接な関係があることが明確になった。伝票用紙の厚さとの関係においては、剥離される伝票用紙部分２０の厚さが薄くても捲り上がることなく支持基材に固定させることができるということが明らかとなった。
【表２】
2015193121.tif 000004
【符号の説明】
【００３５】
１１    伝票用紙
１２    粘着剤層
１３    表面材料層
１４    粘着剤層
１５    シリコーン層
１６    背面材料層
１７    支持基材
２０    剥離される伝票用紙部分
２５    接着剤層抜き領域
６０    接着剤層
７０    接着剤層抜き領域
８０    支持基材
９０    接着剤が当接している部分
９５    接着剤が当接している部分
９６    剥離される伝票用紙部分
９７    接着剤層抜き領域
【図１】
2015193121.tif 000005
【図２】
2015193121.tif 000006
【図３】
2015193121.tif 000007
【図４】
2015193121.tif 000008
【図５】
2015193121.tif 000009